(57)【要約】【課題】光通信に関わる保守情報を、センタ側光回線終端装置で一元管理することが可能なマルチレイヤモジュールの加入者宅側光回線終端装置およびこれを用いた光伝送システムを提供する。【解決手段】ＯＮＵ１００は、ＯＮＵ側光入出力端１１１、ＬＤドライバ１１２、リミッティングアンプ１１３、およびＯＮＵ側コントローラ１１４からなる物理層モジュールと、ＯＮＵ側ＭＡＣ部１２０のデータリンク層モジュールを備えており、物理層とデータリンク層の２層の機能を有するマルチレイヤモジュールとなっている。ＯＮＵ側コントローラ１１４は、ＯＮＵ１００の保守情報を管理しており、光通信に係る保守情報の変動値をセンタ側に伝送する。【選択図】図１
2011114375.tif 000002
【特許請求の範囲】
【請求項１】
光伝送路を介してセンタ側光回線終端装置と接続され、ホスト装置とはＭＳＡ（マルチソースアグリーメント）インタフェースで接続されたマルチレイヤモジュールの加入者宅側光回線終端装置であって、
前記センタ側光回線終端装置に接続されて信号の光／電気変換及び電気／光変換を行う送受信回路と、
前記送受信回路に接続されて前記信号の終端処理を行うＭＡＣ部と、
前記送受信回路に接続されて制御データおよび状態データからなる保守情報の変動値を取得して保存するするとともに、所定の保守情報の固定値を保存するコントローラと、
前記コントローラと前記ＭＡＣ部とを接続する第１シリアルインタフェースと、
前記コントローラと前記ホスト装置とを接続する第２シリアルインタフェースと、を備え、
前記コントローラは、前記保守情報の要求を入力すると、該要求が前記センタ側光回線終端装置側からか、または前記ホスト装置側からかによって前記保守情報を選択して前記センタ側光回線終端装置または前記ホスト装置に出力する
ことを特徴とするマルチレイヤモジュールの加入者宅側光回線終端装置。
【請求項２】
前記コントローラは、前記保守情報の要求が前記センタ側光回線終端装置側からのときは、前記変動値を選択して前記第１シリアルインタフェースを介して前記ＭＡＣ部に出力する一方、
前記保守情報の要求が前記ホスト装置側からのときは、前記固定値を選択して前記第２シリアルインタフェースを介して前記ホスト装置に出力し、
前記ＭＡＣ部は、前記コントローラから前記保守情報の変動値を入力するとこれを前記信号に書き込み、前記送受信回路で電気／光変換して前記センタ側光回線終端装置に伝送する
ことを特徴とする請求項１に記載のマルチレイヤモジュールの加入者宅側光回線終端装置。
【請求項３】
前記コントローラは、ＣＰＵと、前記保守情報の固定値および変動値を保存するメモリとを備え、
前記ＣＰＵは、前記ＭＡＣ部及び前記第１シリアルインタフェースを介して前記センタ側光回線終端装置から前記保守情報の要求を入力すると前記メモリから前記変動値を読み出して前記ＭＡＣ部に出力する一方、
前記第２シリアルインタフェースを介して前記ホスト装置から前記保守情報の要求を入力すると前記メモリから前記固定値を読み出して前記ホスト装置に出力する
ことを特徴とする請求項１または２に記載のマルチレイヤモジュールの加入者宅側光回線終端装置。
【請求項４】
前記コントローラは、ＣＰＵと、前記保守情報の固定値および変動値を保存するメモリと、前記ＣＰＵを前記第１シリアルインタフェースと前記第２シリアルインタフェースのいずれか一方に接続するＢＵＳスイッチ回路とを備え、
前記ＣＰＵは、前記ＢＵＳスイッチ回路で前記第１シリアルインタフェースに接続されると、前記メモリから前記変動値を読み出して前記ＭＡＣ部に出力する一方、
前記ＢＵＳスイッチ回路で前記第２シリアルインタフェースに接続されると、前記メモリから前記固定値を読み出して前記ホスト装置に出力する
ことを特徴とする請求項１または２に記載のマルチレイヤモジュールの加入者宅側光回線終端装置。
【請求項５】
前記ＢＵＳスイッチ回路は、前記ＭＡＣ部及び前記第１シリアルインタフェースを介して前記センタ側光回線終端装置から前記保守情報の要求を入力すると前記ＣＰＵを前記第１シリアルインタフェースに接続する一方、
前記第２シリアルインタフェースを介して前記ホスト装置から前記保守情報の要求を入力すると前記ＣＰＵを前記第２シリアルインタフェースに接続する
ことを特徴とする請求項４に記載のマルチレイヤモジュールの加入者宅側光回線終端装置。
【請求項６】
前記ＢＵＳスイッチ回路は、前記第１シリアルインタフェースからの信号入力を判定すると、前記ＣＰＵを前記第１シリアルインタフェースに接続する一方、前記第２シリアルインタフェースからの信号入力を判定すると、前記ＣＰＵを前記第２シリアルインタフェースに接続する
ことを特徴とする請求項４に記載のマルチレイヤモジュールの加入者宅側光回線終端装置。
【請求項７】
前記ＢＵＳスイッチ回路は、ラッチ設定のスイッチである
ことを特徴とする請求項４乃至６のいずれか１項に記載のマルチレイヤモジュールの加入者宅側光回線終端装置。
【請求項８】
前記ＢＵＳスイッチ回路は、所定の信号を入力すると、接続状態を所定時間だけ保持するコンデンサを備えた非ラッチ設定のスイッチである
ことを特徴とする請求項４乃至６のいずれか１項に記載のマルチレイヤモジュールの加入者宅側光回線終端装置。
【請求項９】
前記ＭＡＣ部は、前記コントローラから入力した前記保守情報の変動値を前記信号のＯＡＭ（Operation，Administration，and Maintenance）レイヤに書き込む
ことを特徴とする請求項１乃至４のいずれか１項に記載のマルチレイヤモジュールの加入者宅側光回線終端装置。
【請求項１０】
前記送受信回路は、光／電気変換及び電気／光変換を行う光入出力端と、前記電気／光変換を制御するＬＤドライバと、前記光／電気変換された電気信号を所定の範囲で通過させるリミッティングアンプとを備え、前記コントローラは、前記光入出力端と前記ＬＤドライバと前記リミッティングアンプとから前記保守情報の変動値を入力する
ことを特徴とする請求項１乃至４のいずれか１項に記載のマルチレイヤモジュールの加入者宅側光回線終端装置。
【請求項１１】
前記第１シリアルインタフェースおよび前記第２シリアルインタフェースは、Ｉ２Ｃ（Inter-Integrated Circuit）信号線である
ことを特徴とする請求項１乃至６のいずれか１項に記載のマルチレイヤモジュールの加入者宅側光回線終端装置。
【請求項１２】
請求項１乃至１１のいずれか１項に記載の１以上のマルチレイヤモジュールの加入者宅側光回線終端装置と、
光通信に関わる保守情報を管理する保守機能ロジック部を有するセンタ側光回線終端装置と、
前記センタ側光回線終端装置と前記マルチレイヤモジュールの加入者宅側光回線終端装置とを接続して光信号の信号を伝送する光伝送路と、を備え、
前記保守機能ロジック部は、前記光伝送路を介して前記１以上のマルチレイヤモジュールの加入者宅側光回線終端装置から伝送された前記保守情報の変動値を一元管理する
ことを特徴とする光伝送システム。
【発明の詳細な説明】
【技術分野】
【０００１】
本発明は、ＰＯＮ型の光伝送システムにおいて加入者宅に設置されるマルチレイヤモジュールの加入者宅側光回線終端装置、およびこれを用いた光伝送システムに関する。
【背景技術】
【０００２】
ＦＴＴＨ、ＣＡＴＶ等の光ネットワークでは、特許文献１、２に記載されているように、センタに接続される光伝送路を受動型スプリッタにより分岐して複数の加入者宅まで光伝送路を敷設するＰＯＮ(Passive Optical Network)型の光伝送システムが使用されている。このような光伝送システムは、ＰＤＳ(Passive Double Star)とも呼ばれる。
【０００３】
ＰＯＮ型の光伝送システムでは、図９に示すように、センタの光回線終端装置（ＯＬＴ：Optical Line Termination）９０１が光ファイバ９０２を介してスプリッタ９０３の合波端に接続され、スプリッタ９０３の複数の分波端には光ファイバ９０４を介して各加入者宅に設置された加入者宅側光回線終端装置（ＯＮＵ：Optical Network Unit）９０５が接続される。
【０００４】
ＯＮＵ９０５は、外部ノードとのインタフェースとしてイーサネット（登録商標）インタフェースを用いている。イーサネット（登録商標）インタフェースとして、１０／１００／１０００ＢＡＳＥ−ＴＸ等を用いることができ、これに例えばＬＡＮケーブル９０６が接続される。ＬＡＮケーブル９０６を介してルータ９０７やスイッチングハブ９０８等のスイッチが接続され、これにコンピュータやプリンタ等の端末機器９０９を接続することができる。あるいは、ＬＡＮケーブル９０６に端末機器９０９を直接接続することもできる。
【０００５】
外部ノードとのインタフェースとして、ＭＳＡ（Multi-Source Agreement）インタフェースの規格に対応させたＭＳＡインタフェースモジュールを用いた場合には、外部ノードに設けられたＭＳＡインタフェーススロットに直接接続することが可能となり、ＬＡＮケーブルの接続が不要になって省スペース化が図れるなどの大きな利点がある。
【０００６】
ＭＳＡインタフェースモジュールを備えた従来のＯＮＵ９０５の一構成例を、図１０を用いて説明する。図１０は、従来のＯＮＵ９０５の概略構成を示すブロック図であり、外部ノード（以下ではホスト装置と称する）９２０に備えられたＭＳＡインタフェーススロット９２２に直接接続された状態を示している。また、ＯＮＵ９０５は、センタ側のＯＬＴ９０１との間で信号の光信号を送受信するために、光入出力端９１１を備えている。
【０００７】
光入出力端９１１は、ＯＬＴ９０１から送信される信号の光信号を電気信号に変換する光／電気変換、およびホスト装置９２０から入力される信号の電気信号を光信号に変換する電気／光変換を行うための光デバイスを有している。光デバイスとして、光／電気変換にはＰＤ（フォトダイオード）が用いられ、電気／光変換にはＬＤ（レーザダイオード）が用いられる。
【０００８】
光入出力端９１１で光／電気変換された信号の電気信号は、リミッティングアンプ（ＬＩＭ）９１３を経由してホスト装置９２０側に出力される。また、ホスト装置９２０側から入力した信号の電気信号は、ＬＤを駆動するＬＤドライバ（ＬＤＤ）９１２に出力される。ＬＤＤ９１２は、入力した電気信号に従って光入出力端９１１に備えられたＬＤ（図示せず）を駆動することで、信号の光信号をＯＬＴ９０１側に伝送する。
【０００９】
図１０に示すように、従来のＯＮＵ９０５は、光／電気変換及び電気／光変換の処理を行っており、ＯＳＩ（Open Systems Interconnection）参照モデルにおける物理層（Ｌ１）の処理を行う物理層モジュールとなっている。ＯＮＵ９０５は、ＯＳＩ参照モデルのデータリンク層（Ｌ２）、あるいはそれ以上のレイヤの機能を有しておらず、これらはホスト装置９２０が有する構成となっている。従って、物理層モジュールのＯＮＵ９０５とホスト装置９２０とが一体となって、通信機能を含む所定の機能構成が完結される。そのため、ＯＮＵ９０５内の保守情報を、ホスト装置９２０内の保守情報（例えば、通信パケットの統計情報等）と一元管理するのがシステム管理上望ましい。
【００１０】
そこで、従来は、ＯＮＵ９０５内の保守情報がホスト装置９２０に出力され、ホスト装置９２０内の保守情報とともにホスト装置９２０が一元管理するように構成されている。ＯＮＵ９０５内に設けられたコントローラ９１４は、図１１に示すようなフォーマットのメモリマップを有するメモリに、ＯＮＵ９０５の保守情報を保存させている。図１１に示すように、ＯＮＵ９０５の保守情報には固定値と変動値がある。
【００１１】
ＯＮＵ９０５の保守情報の固定値には、ＯＮＵ９０５のメーカ名、型番、シリアルＮｏ．等があり、変動値には、光入出力端９１１、リミッティングアンプ９１３、およびＬＤドライバ９１２からなる送受信回路の制御データおよび状態データ（ＬＤ電流、出力パワー、受信電力等）がある。ＯＮＵ９０５とホスト装置９２０との間には、信号を伝送するためのインタフェース９１０ａに加えて、別のシリアルインタフェース９１０ｂが設けられている。コントローラ９１４は、ＯＮＵ９０５内の保守情報をシリアルインタフェース９１０ｂを経由してホスト装置９２０内のロジック部９２１に出力している。
【先行技術文献】
【特許文献】
【００１２】
【特許文献１】特開平９−２１４５４１号公報
【特許文献２】特開２００８−０６７４０２号公報
【発明の概要】
【発明が解決しようとする課題】
【００１３】
一方、近年は、特許文献２に記載されているように、ＯＳＩ参照モデルのＬ２の機能まで有するＯＮＵが開発されている。このように、ＯＮＵがＬ１とＬ２の機能を有するマルチレイヤモジュールに構成されている場合には、光伝送システムは、センタ側のＯＬＴと加入者宅側のＯＮＵとが同一のプロトコルで動作するマルチレイヤモジュールのシステムとなる。そのような光伝送システムでは、光通信に関わる状態信号をセンタ側で一元管理するのが運用上望ましい。
【００１４】
しかしながら、ＯＮＵがマルチレイヤモジュールに構成されるようになっても、保守情報は、従来と同様に、すべてホスト装置に出力されており、ホスト装置がそれ自身の保守情報とＯＮＵの保守情報とを一元管理する構成のままであった。そのため、マルチレイヤモジュールであるＯＮＵの光通信に関わる状態信号を、センタ側で一元管理することができず、光伝送システムの光通信の状態管理が容易でないといった問題があった。
【００１５】
そこで、本発明はこのような問題を解決するためになされたものであり、光通信に関わる保守情報を、センタ側光回線終端装置で一元管理することが可能なマルチレイヤモジュールの加入者宅側光回線終端装置およびこれを用いた光伝送システムを提供することを目的とする。
【課題を解決するための手段】
【００１６】
上記の課題を解決するために、本発明のマルチレイヤモジュールの加入者宅側光回線終端装置の第１の態様は、光伝送路を介してセンタ側光回線終端装置と接続され、ホスト装置とはＭＳＡ（マルチソースアグリーメント）インタフェースで接続されたマルチレイヤモジュールの加入者宅側光回線終端装置であって、前記センタ側光回線終端装置に接続されて信号の光／電気変換及び電気／光変換を行う送受信回路と、前記送受信回路に接続されて前記信号の終端処理を行うＭＡＣ部と、前記送受信回路に接続されて制御データおよび状態データからなる保守情報の変動値を取得して保存するとともに、所定の保守情報の固定値を保存するコントローラと、前記コントローラと前記ＭＡＣ部とを接続する第１シリアルインタフェースと、前記コントローラと前記ホスト装置とを接続する第２シリアルインタフェースと、を備え、前記コントローラは、前記保守情報の要求を入力すると、該要求が前記センタ側光回線終端装置側からか、または前記ホスト装置側からかによって前記保守情報を選択して前記センタ側光回線終端装置または前記ホスト装置に出力することを特徴とする。
【００１７】
本発明のマルチレイヤモジュールの加入者宅側光回線終端装置の他の態様は、前記コントローラは、前記保守情報の要求が前記センタ側光回線終端装置側からのときは、前記変動値を選択して前記第１シリアルインタフェースを介して前記ＭＡＣ部に出力する一方、前記保守情報の要求が前記ホスト装置側からのときは、前記固定値を選択して前記第２シリアルインタフェースを介して前記ホスト装置に出力し、前記ＭＡＣ部は、前記コントローラから前記保守情報の変動値を入力するとこれを前記信号に書き込み、前記送受信回路で電気／光変換して前記センタ側光回線終端装置に伝送することを特徴とする。
【００１８】
本発明のマルチレイヤモジュールの加入者宅側光回線終端装置の他の態様は、前記コントローラは、ＣＰＵと、前記保守情報の固定値および変動値を保存するメモリとを備え、前記ＣＰＵは、前記ＭＡＣ部及び前記第１シリアルインタフェースを介して前記センタ側光回線終端装置から前記保守情報の要求を入力すると前記メモリから前記変動値を読み出して前記ＭＡＣ部に出力する一方、前記第２シリアルインタフェースを介して前記ホスト装置から前記保守情報の要求を入力すると前記メモリから前記固定値を読み出して前記ホスト装置に出力することを特徴とする。
【００１９】
本発明のマルチレイヤモジュールの加入者宅側光回線終端装置の他の態様は、前記コントローラは、ＣＰＵと、前記保守情報の固定値および変動値を保存するメモリと、前記ＣＰＵを前記第１シリアルインタフェースと前記第２シリアルインタフェースのいずれか一方に接続するＢＵＳスイッチ回路とを備え、前記ＣＰＵは、前記ＢＵＳスイッチ回路で前記第１シリアルインタフェースに接続されると、前記メモリから前記変動値を読み出して前記ＭＡＣ部に出力する一方、前記ＢＵＳスイッチ回路で前記第２シリアルインタフェースに接続されると、前記メモリから前記固定値を読み出して前記ホスト装置に出力することを特徴とする。
【００２０】
本発明のマルチレイヤモジュールの加入者宅側光回線終端装置の他の態様は、前記ＢＵＳスイッチ回路は、前記ＭＡＣ部及び前記第１シリアルインタフェースを介して前記センタ側光回線終端装置から前記保守情報の要求を入力すると、前記ＣＰＵを前記第１シリアルインタフェースに接続する一方、前記第２シリアルインタフェースを介して前記ホスト装置から前記保守情報の要求を入力すると前記ＣＰＵを前記第２シリアルインタフェースに接続することを特徴とする。
【００２１】
本発明のマルチレイヤモジュールの加入者宅側光回線終端装置の他の態様は、前記ＢＵＳスイッチ回路は、前記第１シリアルインタフェースからの信号入力を判定すると、前記ＣＰＵを前記第１シリアルインタフェースに接続する一方、前記第２シリアルインタフェースからの信号入力を判定すると、前記ＣＰＵを前記第２シリアルインタフェースに接続することを特徴とする。
【００２２】
本発明のマルチレイヤモジュールの加入者宅側光回線終端装置の他の態様は、前記ＢＵＳスイッチ回路は、ラッチ設定のスイッチであることを特徴とする。
【００２３】
本発明のマルチレイヤモジュールの加入者宅側光回線終端装置の他の態様は、前記ＢＵＳスイッチ回路は、所定の信号を入力すると、接続状態を所定時間だけ保持するコンデンサを備えた非ラッチ設定のスイッチであることを特徴とする。
【００２４】
本発明のマルチレイヤモジュールの加入者宅側光回線終端装置の他の態様は、前記ＭＡＣ部は、前記コントローラから入力した前記保守情報の変動値を前記信号のＯＡＭ（Operation，Administration，and Maintenance）レイヤに書き込むことを特徴とする。
【００２５】
本発明のマルチレイヤモジュールの加入者宅側光回線終端装置の他の態様は、前記送受信回路は、光／電気変換及び電気／光変換を行う光入出力端と、前記電気／光変換を制御するＬＤドライバと、前記光／電気変換された電気信号を所定の範囲で通過させるリミッティングアンプとを備え、前記コントローラは、前記光入出力端と前記ＬＤドライバと前記リミッティングアンプとから前記保守情報の変動値を入力することを特徴とする。
【００２６】
本発明のマルチレイヤモジュールの加入者宅側光回線終端装置の他の態様は、前記第１シリアルインタフェースおよび前記第２シリアルインタフェースは、Ｉ２Ｃ（Inter-Integrated Circuit）信号線であることを特徴とする。
【００２７】
本発明の光伝送システムの第１の態様は、上記いずれか１つの態様に記載の１以上のマルチレイヤモジュールの加入者宅側光回線終端装置と、光通信に関わる保守情報を管理する保守機能ロジック部を有するセンタ側光回線終端装置と、前記センタ側光回線終端装置と前記マルチレイヤモジュールの加入者宅側光回線終端装置とを接続して光信号の信号を伝送する光伝送路と、を備え、前記保守機能ロジック部は、前記光伝送路を介して前記１以上のマルチレイヤモジュールの加入者宅側光回線終端装置から伝送された前記保守情報の変動値を一元管理することを特徴とする。
【発明の効果】
【００２８】
本発明によれば、光通信に関わる保守情報をセンタ側光回線終端装置に送信してセンタ側で一元管理することが可能なマルチレイヤモジュールの加入者宅側光回線終端装置およびこれを用いた光伝送システムを提供することができ、光伝送システムの保守情報の管理が容易となる。
【図面の簡単な説明】
【００２９】
【図１】本発明の第１の実施形態に係るマルチレイヤモジュールの加入者宅側光回線終端装置の概略構成を示すブロック図である。
【図２】本発明の第１実施形態に係る光伝送システムの概略構成を示すブロック図である。
【図３】センタ側光回線終端装置の概略構成を示すブロック図である。
【図４】第１の実施形態のマルチレイヤモジュールの加入者宅側光回線終端装置による保守情報の管理方式を説明するための説明図である。
【図５】本発明の第２の実施形態に係るマルチレイヤモジュールの加入者宅側光回線終端装置の概略構成を示すブロック図である。
【図６】本発明の第３の実施形態に係るマルチレイヤモジュールの加入者宅側光回線終端装置の概略構成を示すブロック図である。
【図７】Ｉ２Ｃラインの概略構成を示すブロック図である。
【図８】Ｉ２Ｃラインで伝送されるデータおよびクロック信号の一例を示す説明図である。
【図９】従来の光伝送システムを示す概略構成図である。
【図１０】従来の加入者宅側光回線終端装置の概略構成を示すブロック図である。
【図１１】保守情報を保存しているメモリのメモリマップを説明するための説明図である。
【発明を実施するための形態】
【００３０】
図面を参照して本発明の好ましい実施の形態におけるマルチレイヤモジュールの加入者宅側光回線終端装置およびこれを用いた光伝送システムの構成について詳細に説明する。なお、同一機能を有する各構成部については、図示及び説明簡略化のため、同一符号を付して示す。
【００３１】
本発明の第１の実施の形態に係るマルチレイヤモジュールの加入者宅側光回線終端装置（ＯＮＵ）を、図１を用いて説明する。図１は、本実施形態のＯＮＵ１００の構成を示すブロック図である。また、図１に示す本実施形態のＯＮＵ１００を用いて構成された本発明の第１の実施形態の光伝送システム１を図２に示す。さらに、光伝送システム１のセンタ側に設けられたセンタ側光回線終端装置（ＯＬＴ）１０の構成を、図３のブロック図に示す。
【００３２】
図２に示す光伝送システム１において、センタ側に設けられるＯＬＴ１０は、光ファイバ３１で光カプラ（光合分波部）３２の合波端に接続され、光カプラ３２の複数の分波端には、複数の光ファイバ３３のそれぞれの一端が接続されている。本実施形態のＯＮＵ１００は、光ファイバ３３の他端に接続して用いられ、光ファイバ３１、３３および光カプラ３２を経由してＯＬＴ１０との間で光信号を伝送することができる。
【００３３】
ＯＮＵ１００は、それぞれが加入者宅毎に設置され、パーソナルコンピュータやスイッチ、ルータ等のホスト装置５０に接続される。ホスト装置５０として用いられるスイッチには、Ｌ２スイッチ、Ｌ３スイッチ、ルータ等がある。ＯＬＴ１０およびＯＮＵ１００には、ＧＰＯＮ(Gigabit Passive Optical Networkの略称であり、ＩＴＵ規格G.984.xに準拠した方式)、ＧＥＰＯＮ(Gigabit Ethernet（登録商標） PONの略であり、ＩＥＥＥ８０２．３ａｈ規格に準拠した方式)の規定に適合した装置が使用される。
【００３４】
図１、２では、ホスト装置５０とのインタフェースとして、ＯＮＵ１００がＭＳＡインタフェースモジュールを備える例を示している。ＭＳＡインタフェースモジュールを用いることで、ＯＮＵ１００はホスト装置５０に設けられたＭＳＡインタフェーススロットに直接接続することができる。ＭＳＡインタフェースモジュールとして、ＧＢＩＣ、ＳＦＰ等のモジュールがある。
【００３５】
センタ側に設置されるＯＬＴ１０は、図３に示すように、加入者宅側の各ＯＮＵ１００との間で光信号を送受信するための物理層（Ｌ１）モジュールの光トランシーバ１１と、データリンク層（Ｌ２）の機能であるＯＬＴ側ＭＡＣ（Media Access Control）部１２と、信号の処理を行うＯＬＴ側信号ロジック部１３と、保守信号の処理を行うＯＬＴ側保守機能ロジック部１４とを備えており、マルチレイヤモジュールの構成となっている。
【００３６】
光トランシーバ１１は、ＯＬＴ側光入出力端１５、ＬＤドライバ（ＬＤＤ）１６、リミッティングアンプ（ＬＩＭ）１７、およびＯＬＴ側コントローラ１８を備えている。ＯＬＴ側光入出力端１５は、ＯＬＴ側信号ロジック部１３側から出力される下り信号の電気信号を光信号に変換する電気／光変換、および加入者宅側から受信する上り信号の光信号を電気信号に変換する光／電気変換、を行うためのそれぞれの光デバイスを有している。光デバイスとして、光／電気変換にはＰＤ（フォトダイオード）が用いられ、電気／光変換にはＬＤ（レーザダイオード）が用いられる。
【００３７】
ＯＬＴ側ＭＡＣ部１２から入力した下り信号の電気信号は、ＬＤを駆動するＬＤドライバ１６に出力され、ＬＤドライバ１６がＯＬＴ側光入出力端１５に備えられたＬＤ（図示せず）を駆動することで、下り信号の光信号に変換されて出力される。また、ＯＬＴ側光入出力端１５で受信して光／電気変換された上り信号の電気信号は、リミッティングアンプ１７を経由してＯＬＴ側ＭＡＣ部１２に出力され、さらにＯＬＴ側信号ロジック部１３に出力される。
【００３８】
ＯＬＴ側コントローラ１８は、ＯＬＴ側光入出力端１５、ＬＤドライバ１６、リミッティングアンプ１７から制御データおよび状態データ（ＬＤ電流、出力パワー、受信電力等）を入力し、これを保守情報の変動値としてＯＬＴ側ＭＡＣ部１２に出力し、さらにＯＬＴ側ＭＡＣ部１２からＯＬＴ側保守機能ロジック部１４に出力している。光トランシーバ１１とＯＬＴ側ＭＡＣ部１２との間には、信号を伝送する主インタフェース１９とは別に、ＯＬＴ側コントローラ１８とＯＬＴ側ＭＡＣ部１２とを接続するシリアルインタフェース２０が設けられている。上記のＯＬＴ１０の保守情報は、シリアルインタフェース２０を経由してＯＬＴ側コントローラ１８からＯＬＴ側ＭＡＣ部１２に伝送される。また、ＯＬＴ側ＭＡＣ部１２とＯＬＴ側信号ロジック部１３およびＯＬＴ側保守機能ロジック部１４との間は、それぞれのＢＵＳで接続されている。
【００３９】
本実施形態のＯＮＵ１００は、図１に示すように、上記説明のＯＬＴ１０と類似した構成を有しており、ＯＬＴ１０と同一のプロトコルで動作するシステムとなっている。すなわち、ＯＮＵ１００は、ＯＮＵ側光入出力端１１１、ＬＤドライバ１１２、リミッティングアンプ１１３、およびＯＮＵ側コントローラ１１４からなる物理層モジュールと、ＯＮＵ側ＭＡＣ部１２０のデータリンク層モジュールとを備えている。このように、本実施形態のＯＮＵ１００は、ＯＬＴ１０と同様に、物理層とデータリンク層の２層の機能を有するマルチレイヤモジュールとなっている。
【００４０】
一方、ＯＮＵ１００は、ＯＬＴ１０が有していた信号ロジック部および保守機能ロジック部を有しておらず、信号の処理および保守情報の処理はホスト装置５０側に設けられたホスト側信号ロジック部５１およびホスト側保守機能ロジック部５２で行われる。
【００４１】
ＯＬＴ１０から送信された下り信号の光信号は、ＯＮＵ側光入出力端１１１で光／電気変換されて電気信号の下り信号となり、リミッティングアンプ１１３を介してＯＮＵ側ＭＡＣ部１２０に伝送される。そして、信号用の主インタフェース１３１を介してホスト装置５０のホスト側信号ロジック部５１に下り信号が出力される。また、ホスト装置５０のホスト側信号ロジック部５１から出力された電気信号の上り信号は、主インタフェース１３１を介してＯＮＵ側ＭＡＣ部１２０に出力され、さらにＯＮＵ側ＭＡＣ部１２０からＬＤドライバ１１２に出力されてＯＮＵ側光入出力端１１１内のＬＤ（図示せず）を駆動する。これにより、上り信号の電気信号が電気／光変換され、ＯＬＴ１０側に上り信号の光信号が伝送される。
【００４２】
また、ＯＮＵ側コントローラ１１４は、ＯＮＵ側光入出力端１１１、ＬＤドライバ１１２、リミッティングアンプ１１３から制御データおよび状態データ（ＬＤ電流、出力パワー、受信電力等）が入力され、これを保守情報の変動値として保存している。また、ＯＮＵ１００のメーカ名、型番、シリアルＮｏ．等の固定値も保存している。
【００４３】
つぎに、ＯＮＵ１００の保守情報の管理方式について、図４を用いて説明する。従来のマルチレイヤモジュールのＯＮＵでは、ホスト装置が、それ自身の保守情報とともにＯＮＵ内の保守情報も一元管理するように構成されており、ＯＮＵ内の保守情報がホスト装置のみに出力される構成となっていた。
【００４４】
しかしながら、本実施形態の光伝送システム１のように、ＯＬＴ１０とＯＮＵ１００が同一プロトコルで動作するマルチレイヤモジュールで構成されているシステムでは、ＯＮＵ１００の保守情報のうち少なくとも光通信に関わる状態信号を、ＯＬＴ１０の保守情報とともにセンタ側で一元管理するのがシステム管理上望ましい。また、保守情報のうちＯＮＵ１００とホスト装置５０とを接続するのに必要となる固定情報については、従来と同様にホスト装置５０で一元管理するのが望ましい。
【００４５】
そこで、本実施形態のＯＮＵ１００および光伝送システム１では、保守情報のうち固定値については、従来と同様にホスト装置５０に出力してホスト装置５０側で管理させる一方、少なくとも光通信に関わる状態信号である保守情報の変動値については、センタ側のＯＬＴ１０に伝送してセンタ側で一元管理させる構成としている。
【００４６】
図４において、ＯＮＵ側コントローラ１１４は、ＣＰＵ１１５とメモリ１１６を備えている。メモリ１１６には、アドレス＃Ａ０を先頭に保守情報の固定値が保存され、アドレス＃Ａ２を先頭に保守情報の変動値が保存されている。
【００４７】
ホスト装置５０側から保守情報の要求があると、ＣＰＵ１１５の処理により保守情報の固定値が選択され、これがシリアルインタフェース１３２を経由してホスト装置５０のホスト側保守機能ロジック部５２に出力される。一方、ＯＬＴ１０側から保守情報の要求があると、ＣＰＵ１１５の処理により保守情報の変動値が選択され、これがシリアルインタフェース１２１を経由してＯＮＵ側ＭＡＣ部１２０に出力され、ＯＮＵ側ＭＡＣ部１２０で上り信号に追加されてＯＬＴ１０に伝送される。シリアルインタフェース１３２及び１２１として、Ｉ２Ｃ（Inter-Integrated Circuit）を用いることができる。
【００４８】
ＰＯＮ型の光伝送システム１では、ＯＬＴ１０とＯＮＵ１００との間で保守情報を伝送するために、信号にＯＡＭ（Operation，Administration，and Maintenance）レイヤが設けられている。ＯＡＭレイヤは、ＯＳＩ参照モデルにおける第２層のデータリンク層に相当し、保守運用等に必要な情報を伝送するのに用いられる。
【００４９】
ＯＬＴ１０に伝送される保守情報の変動値は、ＯＮＵ側コントローラ１１４からＯＮＵ側ＭＡＣ部１２０に出力され、ＯＮＵ側ＭＡＣ部１２０で上り信号のＯＡＭレイヤに書き込まれる。この上り信号がＬＤドライバ１１２に出力され、ＬＤドライバ１１２による制御で電気／光変換された上り信号の光信号が、ＯＮＵ側光入出力端１１１からＯＬＴ１０に伝送される。ＯＬＴ１０に伝送された光信号は、ＯＬＴ側光入出力端１５で電気信号に変換された後ＯＬＴ側ＭＡＣ部１２に出力され、ＯＬＴ側ＭＡＣ部１２で上り信号のＯＡＭレイヤからＯＮＵ１００の保守情報の変動値を読み出す。読み出されたＯＮＵ１００の保守情報の変動値は、ＯＬＴ側保守機能ロジック部１４に出力され、ここでＯＬＴ１０の保守情報とともに一元管理される。
【００５０】
上記説明のように、本実施形態のＯＮＵ１００およびこれを用いた光伝送システム１によれば、マルチレイヤモジュールであるＯＮＵ１００の保守情報のうち、少なくとも光通信に関わる状態信号である保守情報の変動値については、ＯＬＴ１０に伝送してセンタ側で一元管理することが可能になるとともに、ＯＮＵ１００をホスト装置５０に接続するのに必要となる保守情報の固定値については、ホスト装置５０に出力してホスト装置５０側で一元管理することが可能になる。マルチレイヤモジュールである本実施形態の加入者宅側光回線終端装置を用いることで、光伝送システムの保守情報の管理が容易となる。
【００５１】
本発明の第２の実施の形態に係るマルチレイヤモジュールの加入者宅側光回線終端装置を、図５を用いて説明する。図５は、本実施形態のＯＮＵ２００の構成を示すブロック図である。本実施形態のＯＮＵ２００では、ＯＮＵ側コントローラ２１４がさらにＢＵＳスイッチ回路２１７を備える構成となっている。ＯＮＵ側コントローラ２１４内のＣＰＵ２１５は、ＢＵＳスイッチ回路２１７を介してＯＮＵ側ＭＡＣ部１２０またはホスト装置５０内のホスト側保守機能ロジック部５２に接続される。
【００５２】
ＢＵＳスイッチ回路２１７は、例えばセンタ側からの指示でＯＮＵ側ＭＡＣ部１２０から保守情報の要求があると、スイッチ状態をＯＮＵ側ＭＡＣ部１２０とＣＰＵ２１５との間を接続状態（閉状態）にするとともに、ホスト側保守機能ロジック部５２との間を非接続状態（開状態）にする。また、ＢＵＳスイッチ回路２１７は、ＯＮＵ側ＭＡＣ部１２０からの要求であることを示すステータス信号２１８をＣＰＵ２１５に出力する。あるいは、スイッチ状態がＯＮＵ側ＭＡＣ部１２０とＣＰＵ２１５との間を接続する状態であることを示すステータス信号２１８をＣＰＵ２１５に出力してもよい。
【００５３】
同様に、ホスト側保守機能ロジック部５２から保守情報の要求があると、ＢＵＳスイッチ回路２１７は、スイッチ状態をホスト側保守機能ロジック部５２とＣＰＵ２１５との間を接続状態（閉状態）にするとともに、ＯＮＵ側ＭＡＣ部１２０との間を非接続状態（開状態）にする。また、ＢＵＳスイッチ回路２１７は、ホスト側保守機能ロジック部５２からの要求であることを示すステータス信号２１８をＣＰＵ２１５に出力する。あるいは、スイッチ状態がホスト側保守機能ロジック部５２とＣＰＵ２１５との間を接続している状態であることを示すステータス信号２１８をＣＰＵ２１５に出力してもよい。
【００５４】
ＣＰＵ２１５は、ＢＵＳスイッチ回路２１７から入力したステータス信号２１８をもとに、保守情報の要求がＯＮＵ側ＭＡＣ部１２０からのものであるか、あるいはホスト側保守機能ロジック部５２からのものであるかを判断する。その結果、ＯＮＵ側ＭＡＣ部１２０からの要求である場合には、ＢＵＳスイッチ回路２１７のスイッチ状態がＯＮＵ側ＭＡＣ部１２０側に接続された状態となっていることから、ＣＰＵ２１５は、メモリ１１６内のアドレス＃Ａ２に保存されている保守情報の変動値を、ＢＵＳスイッチ回路２１７を経由してＯＮＵ側ＭＡＣ部１２０に出力する。ＯＮＵ側ＭＡＣ部１２０は、ＣＰＵ２１５から入力した保守情報の変動値を上り信号のＯＡＭレイヤに書き込み、これをＯＬＴ１０に伝送する。
【００５５】
一方、ＣＰＵ２１５において保守情報の要求がホスト側保守機能ロジック部５２からのものであると判断されると、ＢＵＳスイッチ回路２１７のスイッチ状態がホスト側保守機能ロジック部５２側に接続された状態となっていることから、ＣＰＵ２１５は、メモリ１１６内のアドレス＃Ａ０に保存されている保守情報の固定値を、ＢＵＳスイッチ回路２１７を経由してホスト側保守機能ロジック部５２に出力する。
【００５６】
ＢＵＳスイッチ回路２１７からＣＰＵ２１５に出力するステータス信号２１８として、上記では、保守情報の要求がＯＮＵ側ＭＡＣ部１２０からのものかあるいはホスト側保守機能ロジック部５２からのものかを示す信号、あるいはＢＵＳスイッチ回路２１７の接続状態を示す信号を用いている。これに加えて、ステータス信号２１８に要求データを指定する信号が含まれるようにしてもよい。保守情報として、あらかじめ設定された固定値を要求するかあるいは変動値を要求するかだけでなく、１つまたは複数の個別のデータを要求することができるようにする。この場合、例えばホスト側保守機能ロジック部５２からの保守情報の要求のときに、変動値のデータの要求があっても伝送させないようにすることができる。
【００５７】
本実施形態のＯＮＵ２００によれば、第１の実施形態のＯＮＵ１００と同様に、マルチレイヤモジュールであるＯＮＵ２００の保守情報のうち、少なくとも光通信に関わる状態信号である変動値については、ＯＬＴ１０に伝送してセンタ側で一元管理することが可能になるとともに、ＯＮＵ１００をホスト装置５０に接続するのに必要となる保守情報の固定値については、ホスト装置５０に出力してホスト装置５０側で一元管理することが可能となる。これに加えて、本実施形態のＯＮＵ２００では、保守情報の要求がＯＮＵ側ＭＡＣ部１２０からのものかあるいはホスト側保守機能ロジック部５２からのものかによって接続状態を切り替えるＢＵＳスイッチ回路２１７を設けることで、ＣＰＵ２１５は、要求された保守情報をＢＵＳスイッチ回路２１７に出力するだけでよく、その処理を簡素化することができる。
【００５８】
第１の実施形態のＯＮＵ１００では、ＯＮＵ側コントローラ１１４内のＣＰＵ１１５がシリアルインタフェース１２１、１３２の２つのＩ２Ｃラインを備える必要があったが、本実施形態のＯＮＵ２００では、ＢＵＳスイッチ回路２１７をＣＰＵ２１５とは別に設けることで、ＣＰＵ２１５にＩ２Ｃラインを複数備えることが不要となり、さらにＢＵＳスイッチ回路２１７をロジック回路で構成することで、簡単な構成とすることが可能となる。
【００５９】
本発明の第３の実施の形態に係るマルチレイヤモジュールの加入者宅側光回線終端装置を、図６を用いて説明する。図６は、本実施形態のＯＮＵ３００の構成を示すブロック図である。本実施形態のＯＮＵ３００では、第２の実施の形態のＯＮＵ２００と同様に、ＯＮＵ側コントローラ３１４がＢＵＳスイッチ回路３１７を備える構成となっているが、ＢＵＳスイッチ回路３１７の動作が第２の実施形態のＢＵＳスイッチ回路２１７と異なっている。
【００６０】
ここで、Ｉ２Ｃラインによる通信の概要を説明する。Ｉ２Ｃラインは、図７に示すように、データライン(ＤＡＴＡ)６１とクロックライン(ＣＬＯＣＫ)６２の２つのライン(物理的な線)で最低限構成されている。Ｉ２Ｃラインで伝送される信号の一例を図８に示す。Ｉ２Ｃラインの基本的な動作は、(１)マスター６３からデータライン６１経由でデータ（図８にＤＡＴＡで示す）が送信され、(２)スレーブ６４がこのＤＡＴＡを受信し、(３)それと並行してクロックライン６２を経由してマスター６３からスレーブ６４にクロック信号（図８にＣＬＯＣＫで示す）が送出され、(４)このＣＬＯＣＫにより同期の取れたＩ２Ｃ通信が行われる。
【００６１】
第２の実施の形態及び第３の実施の形態では、シリアルインタフェース１２１側に接続されたＯＬＴ１０、あるいはシリアルインタフェース１３２側に接続されたホスト装置５０がマスター６３に相当している。また、シリアルインタフェース１２１及び１３２のいずれも、ＢＵＳスイッチ回路２１７、３１７がスレーブ６４に相当している。
【００６２】
第２の実施形態のＢＵＳスイッチ回路２１７は、マスター６３に相当するＯＬＴ１０またはホスト装置５０からの指示でスイッチングする受動的な動作を行っている。これに対し、本実施形態のＢＵＳスイッチ回路３１７は、以下に説明するように、能動的に動作することを特徴としている。
【００６３】
ＢＵＳスイッチ回路３１７は、通常、スイッチ状態がシリアルインタフェース１２１側（ＯＬＴ１０側）、またはシリアルインタフェース１３２側（ホスト装置５０側）に接続されている。ここでは、一例として、ＢＵＳスイッチ回路３１７がシリアルインタフェース１２１側に接続されているものとして説明する。この状態で、接続側のＯＬＴ１０からＤＡＴＡが送信されて来た場合には、スイッチ状態を切り替えることなくシリアルインタフェース１２１でＩ２Ｃ通信の処理が行われる。
【００６４】
これに対し、接続されていないホスト装置５０側からＤＡＴＡが送信されて来た場合には、ＢＵＳスイッチ回路３１７が接続状態を切り換えてシリアルインタフェース１３２側に接続する。すなわち、本実施形態のＢＵＳスイッチ回路３１７は、ＤＡＴＡが送信されて来ると、ＤＡＴＡを受信した時点（図８の矢印Ａで示す）でそれが接続側からのものか非接続側からのものかを判断し、その結果、非接続側からのＤＡＴＡ送信と判断した場合にスイッチを切り換える、といった能動的な処理動作を行う。
【００６５】
上記のように、能動的に動作するＢＵＳスイッチ回路３１７の誤動作を防止するためには、ラッチ設定のスイッチをＢＵＳスイッチ回路３１７に用いるのがよい。ＢＵＳスイッチ回路３１７に非ラッチ設定のスイッチを用いた場合には、図８に示すようなＤＡＴＡを入力することで、ＤＡＴＡを入力する期間の接続状態と、ＤＡＴＡを入力しない期間の非接続状態を頻繁に繰り返す動作となってしまい、ＤＡＴＡのやり取りが適切に行えなくなってしまう。
【００６６】
そこで、ＢＵＳスイッチ回路３１７に非ラッチ設定のスイッチを用いる場合には、ＤＡＴＡを入力したとき、それから一定時間経過するまでスイッチの接続状態を保持させるようにするのがよい。図８において、ＤＡＴＡの矢印Ａで示す最初のパルスを入力したときにスイッチを接続状態にして一定時間経過するまで保持するとともに、それ以降のパルスに対してもスイッチの接続状態を一定時間保持させる。これにより、スイッチを接続状態のままＤＡＴＡを入力させるようにすることが可能となる。さらに、矢印Ｂに示す最後のパルスに対しても一定時間接続状態を保持させるが、一定時間が経過した後はスイッチは非接続状態となる。このように、スイッチの接続状態をパルス終了後一定時間保持させるには、ＤＡＴＡラインに所定のコンデンサを挿入するのがよい。これにより、簡単な構造で、スイッチの接続状態を一定時間保持させるようにすることができる。
【００６７】
なお、本実施の形態における記述は、本発明に係るマルチレイヤモジュールの加入者宅側光回線終端装置およびこれを用いた光伝送システムの一例を示すものであり、これに限定されるものではない。本実施の形態におけるマルチレイヤモジュールの加入者宅側光回線終端装置等の細部構成及び詳細な動作等に関しては、本発明の趣旨を逸脱しない範囲で適宜変更可能である。
【符号の説明】
【００６８】
１        光伝送システム
１０      ＯＬＴ
１１      光トランシーバ
１２      ＯＬＴ側ＭＡＣ部
１３      ＯＬＴ側信号ロジック部
１４      ＯＬＴ側保守機能ロジック部
１５      ＯＬＴ側光入出力端
１６      ＬＤドライバ
１７      リミッティングアンプ
１８      ＯＬＴ側コントローラ
１９、１３１    主インタフェース
２０、１２１、１３２    シリアルインタフェース
３１、３３    光ファイバ
３２      光カプラ
５０      ホスト装置
５１      ホスト側信号ロジック部
５２      ホスト側保守機能ロジック部
１００、２００、３００    ＯＮＵ
１１１    ＯＮＵ側光入出力端
１１２    ＬＤドライバ
１１３    リミッティングアンプ
１１４、２１４、３１４    ＯＮＵ側コントローラ
１１５、２１５    ＣＰＵ
１１６    メモリ
１２０    ＯＮＵ側ＭＡＣ部
２１７、３１７    ＢＵＳスイッチ回路
【図１】
2011114375.tif 000003
【図２】
2011114375.tif 000004
【図３】
2011114375.tif 000005
【図４】
2011114375.tif 000006
【図５】
2011114375.tif 000007
【図６】
2011114375.tif 000008
【図７】
2011114375.tif 000009
【図８】
2011114375.tif 000010
【図９】
2011114375.tif 000011
【図１０】
2011114375.tif 000012
【図１１】
2011114375.tif 000013